(57)【要約】【課題】  全血血小板凝集能検査における検査概要とその測定結果としてＰＡＴＩ値を示し、グレードタイプの判定表示が分かり易く、簡便な表示形態である全血血小板凝集能検査表を提供することを目的とするものである。【解決手段】  複数の全血に濃度の異なる血小板凝集惹起剤として所定温度で一定時間凝集反応させた後、フィルタを装着した吸引ノズルにより各凝集反応させた全血を吸引してその吸引圧から全血血小板凝集能を検査し、その検査結果をシートに印字する全血血小板凝集能検査表であって、前記シートには、血小板凝集能検査における書誌的事項を示す書誌的事項印字領域３とＰＡＴＩ値による検査結果を示す検査結果印字領域４とが設けられ、該検査結果に至る過程を示す凝集曲線を示す凝集曲線作図領域５と、凝集能が何れのグレードタイプであるかをマークで示すグレードタイプ印字領域６と、前記血小板凝集惹起剤の各添加量毎の吸引圧の割合に依存する凝集率を印字する凝集能率印字領域７とを有している。【選択図】    図１
0003105355.tif 000002
【実用新案登録請求の範囲】
【請求項１】
複数の全血に濃度の異なる血小板凝集惹起剤を加えて所定温度で一定時間凝集反応させた後、フィルタを装着した吸引ノズルにより各凝集反応させた全血を吸引してその吸引圧から全血血小板凝集能を検査し、その検査結果をシートに印字する全血血小板凝集能検査表であって、
前記シートには、血小板凝集能検査における書誌的事項を示す書誌的事項印字領域とＰＡＴＩ値による検査結果を示す検査結果印字領域とが設けられているとともに、該検査結果に至る過程を示す凝集曲線を示す凝集曲線作図領域と、凝集能が何れのグレードタイプであるかをマークで示すグレードタイプ印字領域と、前記血小板凝集惹起剤の各添加試薬濃度毎の吸引圧の割合に依存する凝集能率を印字する凝集率印字領域とを有することを特徴とする全血血小板凝集能検査表。
【請求項２】
前記書誌的事項は、全血血小板凝集能の測定日、測定時間、測定モード、凝集反応時間、検体番号、試薬である血小板凝集惹起剤の薬品名、試薬濃度であることを特徴とする請求項１に記載の全血血小板凝集能検査表。
【請求項３】
前記作図領域は、前記凝集曲線を折れ線グラフで印字し、該凝集曲線から求められるＰＡＴＩ値が、何れのグレードタイプに属するかを示すガイド線を印字したことを特徴とする請求項１又は２に記載の全血血小板凝集能検査表。
【請求項４】
前記ＰＡＴＩ値が何れのガイド線間であるかを指し示すマークを印字する領域を設け、該マークが(III)，（II），（I），（０），（-I），(-II)の何れのグレードタイプであるかを同一マークで指し示す領域を有することを特徴とする請求項３に記載の全血血小板凝集能検査表。
【考案の詳細な説明】
【技術分野】
【０００１】
本考案は、全血血小板凝集能の判定結果を記録表示する全血血小板凝集能検査表に関するものである。
【背景技術】
【０００２】
一般に、血小板凝集能の測定には光透過法がある。図３は光透過法による血小板凝集能のグレードタイプを判定する方法を示しており、血液から分離された多血小板血漿（以下、ＰＲＰと称する）に血小板凝集惹起剤を添加し５分間凝集反応をさせて光の透過度を測定する。ＰＲＰの凝集反応は、血小板凝集惹起剤の濃度（０．５，１．０，２．０，４．０μＭ）に応じて、図３（ａ）に示するような光の透過率曲線Ａとなり、血小板凝集惹起剤を４．０μＭとして５分凝集反応させた後の凝集率を１００％として各濃度の透過率をプロットし、図３（ｂ）に示す折れ線グラフによる凝集曲線Ｂを作成する。血小板凝集能を示すＧ−Ｔ（グレードタイプ：Grade Type）は、図３（ｂ）に放射状の点線で区分けしたＧ−Ｔ(III)，（II），（I），（０），（-I），(-II)で示され、この凝集曲線が、凝集率５０％の値と交差する値を血小板凝集閾値（ＰＡＴＩ値：Platelet aggregatory threshold index）として、ＰＡＴＩ値がこれらのＧ−Ｔの何れに含まれるかにより血小板凝集能を判定している。
【考案の開示】
【考案が解決しようとする課題】
【０００３】
上述のように、光透過法による血小板凝集能の特定は、図３（ｂ）に示したような方法により特定し、その血小板凝集能の結果は、検査表に、グレードタイプが(III)，（II），（I），（０），（-I），(-II)の何れかであるかを示すのみであって、測定過程を示し、測定結果の説明が可能な検査表ではなく、より信頼性が得られるような測定結果を示す必要性があった。また、近年では、より簡便な血小板凝集能の検査として、全血法による血小板凝集能の測定方法が主流となりつつあり、同様に血小板凝集能が検査表から把握し易く、ＰＡＴＩ値等が表示されることにより、血小板凝集能の程度を示すことが可能なことが望まれている。
【０００４】
本考案は、上述のような課題に鑑みなされたものであって、全血血小板凝集能検査における検査概要とその測定結果としてＰＡＴＩ値を示し、グレードタイプの判定表示が分かり易く、簡便な表示形態である全血血小板凝集能検査表を提供することを目的とするものである。
【課題を解決するための手段】
【０００５】
本考案は、上記課題を達成したものであって、請求項１の考案は、複数の全血に濃度の異なる血小板凝集惹起剤を加えて所定温度で一定時間凝集反応させた後、フィルタを装着した吸引ノズルにより各凝集反応させた全血を吸引してその吸引圧から全血血小板凝集能を検査し、その検査結果をシートに印字する全血血小板凝集能検査表であって、前記シートには、血小板凝集能検査における書誌的事項を示す書誌的事項印字領域とＰＡＴＩ値による検査結果を示す検査結果印字領域とが設けられているとともに、該検査結果に至る過程を示す凝集曲線を示す凝集曲線作図領域と、凝集能が何れのグレードタイプであるかをマークで示すグレードタイプ印字領域と、前記血小板凝集惹起剤の各添加試薬濃度毎の吸引圧の割合に依存する凝集率を印字する凝集能率印字領域とを有することを特徴とする全血血小板凝集能検査表である。
【０００６】
また、請求項２の考案は、前記書誌的事項は、全血血小板凝集能の測定日、測定時間、測定モード、凝集反応時間、検体番号、試薬である血小板凝集惹起剤の薬品名、試薬濃度であることを特徴とする請求項１に記載の全血血小板凝集能検査表である。
【０００７】
また、請求項３の考案は、前記作図領域は、前記凝集曲線を折れ線グラフで印字し、該凝集曲線から求められるＰＡＴＩ値が、何れのグレードタイプに属するかを示すガイド線を印字したことを特徴とする請求項１又は２に記載の全血血小板凝集能検査表である。
【０００８】
また、請求項４の考案は、前記ＰＡＴＩ値が何れのガイド線間であるかを指し示すマークを印字する領域を設け、該マークが(III)，（II），（I），（０），（-I），(-II)の何れのグレードタイプであるかを同一マークで指し示す領域を有することを特徴とする請求項３に記載の全血血小板凝集能検査表である。
【考案の効果】
【０００９】
請求項１の考案では、複数の全血に濃度の異なる血小板凝集惹起剤を加えて所定温度で一定時間凝集反応させた後、フィルタを装着した吸引ノズルにより各凝集反応させた全血を吸引してその吸引圧から全血血小板凝集能を検査し、その検査結果をシートに印字する全血血小板凝集能検査表であって、  前記シートには、血小板凝集能検査における書誌的事項を示す書誌的事項印字領域とＰＡＴＩ値による検査結果を示す検査結果印字領域とが設けられているとともに、該検査結果に至る過程を示す凝集曲線を示す凝集曲線作図領域と、凝集能が何れのグレードタイプであるかをマークで示すグレードタイプ印字領域と、前記血小板凝集惹起剤の各添加試薬濃度毎の吸引圧の割合に依存する凝集率を印字する凝集能率印字領域とを有する全血血小板凝集能検査表であるので、全血血小板凝集能の検査概要、測定過程、そして測定結果がシートに全てが印字され、検査概要と結果が極めて簡便にまとめられており利用し易く、患者への説明にも効果的な表示とした全血血小板凝集能検査表である。
【００１０】
また、請求項２の考案では、前記書誌的事項が、全血血小板凝集能の測定日、測定時間、測定モード、凝集反応時間、検体番号、試薬である血小板凝集惹起剤の薬品名、試薬濃度であることを特徴とする請求項１に記載の全血血小板凝集能検査表であるので、検査表から検査概要を知ることができし、検体番号、試薬の薬品名が記載されており、患者と検査結果との確認が可能であり、試薬に依存する凝集特性を考慮し、患者への説明にも一層便利なものである利点がある。
【００１１】
また、請求項３の考案では、前記作図領域は、前記凝集曲線を折れ線グラフで印字し、該凝集曲線から求められる閾値が、何れのグレードタイプに属するかを示すガイド線を印字したことを特徴とする請求項１又は２に記載の全血血小板凝集能検査表であるので、ガイド線で示されたグレードタイプの範囲に凝集曲線が図示され、凝集曲線が急峻に立ち上がっているか、或いは緩慢であるのかが明らかになり、しかも、ＰＡＴＩ値が何れの範囲内に含まれているかが直ちに分かるように印字されているので、検査表として極めて分かり易いものとなる利点がある。
【００１２】
また、請求項４の考案では、前記ＰＡＴＩ値が何れのガイド線間であるかを指し示すマークを印字する領域を設け、該マークが(III)，（II），（I），（０），（-I），(-II)の何れのグレードタイプであるかを同一マークで指し示す領域を有することを特徴とする請求項３に記載の全血血小板凝集能検査表であるので、グレードタイプが、マーク、例えば三角形の印でグレードタイプの(III)，（II），（I），（０），（-I），(-II）の何れであるかを示すことができるし、さらに、これらのグレードタイプ以外のグレードタイプ（-III）の場合は、全体のグレードタイプをシフトさせて印字することにより表示することができるし、これらのグレードタイプを三角形の印のマークで指し示すことができるので、検査表として簡便で極めて分かり易く、検査表に基づいて検査結果の説明が容易なものとなる利点がある。さらに、凝集曲線が５０％ラインと交差する点（ＰＡＴＩ値）が、例えばガイド線間の両側の何れかのグレードタイプに近接しているか否かが検査表から一目瞭然であり、血小板凝集能の状態を細かく判断できる利点がある。
【考案を実施するための最良の形態】
【００１３】
以下、本考案に係る全血血小板凝集能検査表の一実施形態について図面を参照して説明する。図１は本実施形態の全血血小板凝集能検査表を示し、例えば帯状シート１に全血血小板凝集能検査表が印字されている。この検査表には、「血小板凝集能検査」と表題２が印字され、書誌的事項印字領域３、検査結果印字領域４、凝集曲線作図領域５、グレードタイプ印字領域６、吸引圧測定値に基づく凝集率の数値を印字する凝集率印字領域７が設けられている。
【００１４】
全血血小板凝集能検査表は、帯状シート１を印字されて全血血小板凝集能検査装置のプリンタから出力される。先ず、全血血小板凝集能検査装置の概要を説明する。全血を四本の４キュベット８に入れ、それぞれに血小板凝集惹起剤を加えて濃度が（例えば、０．５，１．０，２．０，４．０μＭ）となるようにし、一定温度（３７℃）にて加温し凝集反応を５分間行った後、吸引口１０に装着した吸引用ノズル９をキュベット８内に挿入して吸引し、吸引用ノズル９に装着されたフィルタを通過する際の吸引圧を吸引圧センサ１１で測定し、吸引圧を制御装置１２に入力する。制御装置１２では、血小板凝集惹起剤の濃度が異なる４本の吸引圧値から凝集曲線を作成し、凝集率が５０％であるＰＡＴＩ値を求め、ＰＡＴＩ値が何れのＧ−Ｔ〔(III)，（II），（I），（０），（-I），(-II）〕に属するかを判定する。これらの測定条件と測定結果を全血血小板凝集能検査表に印字する。なお、血小板凝集惹起剤を加えた濃度が、１．０，２．０，４．０，８．０（μＭ）の場合もあり、Ｇ−Ｔは〔（II），（I），（０），（-I），(-II），（−III）〕と印字されて、ＰＡＴＩ値が何れに属するかが示される。
【００１５】
以下、全血血小板凝集能検査表の各項目について詳細を説明する。書誌的事項印字領域３は、全血血小板凝集能の測定日、測定時間、測定モード、凝集反応時間、検体番号、試薬である血小板凝集惹起剤の薬品名，単位、及び試薬濃度を示す領域である。図１では、全血血小板凝集能の測定日（ＤＡＴＥ：０４／０１／１９）、測定時間（ＴＩＭＥ：１７：２６）、測定モード（ＡＮＡＬＹ  １）、凝集反応時間（０５：００）、検体番号（００４）、試薬である血小板凝集惹起剤の薬品名，単位（ＡＤＰ［μＭ］）、試薬濃度（０．５，１．０，２．０，４．０）と印字されている。
【００１６】
検査結果印字領域４は、全血血小板凝集能検査における結果を印字する領域であり、ＰＡＴＩ値と、全血血小板凝集能のグレードタイプを「(III)，（II），（I），（０），（-I），(-II）…」で印字する領域である。また、血小板凝集惹起剤を加えた濃度が、１．０，２．０，４．０，８．０（μＭ）の場合、Ｇ−Ｔは〔（II），（I），（０），（-I），(-II），（−III）〕と印字される。
【００１７】
凝集曲線作図領域５は、凝集曲線αを折れ線グラフで示す作図する領域５ａと、凝集能が何れのグレードタイプであるかを▲印でマークするグレードタイプ表示領域５ｂが設けられており、ＰＡＴＩ値の位置を示している。領域５ａは、折れ線グラフの横軸が血小板凝集惹起剤の濃度であって、各濃度０．５，１．０，２．０，４．０（μＭ）を、１〜４チャンネル（ｃｈ）で示し、縦軸が凝集率（０〜１００％）を示している。凝集曲線作図領域５は、グレードタイプを区分けして示すための斜線によるガイド線５１〜５６と凝集率５０％ライン５ｃが示され、ガイド線５１，５２と、５２，５３…の各区間が各Ｇ−Ｔの範囲を示している。ＰＡＴＩ値は、凝集曲線αが凝集率５０％ライン５ｃを横切って交差する血小板凝集惹起剤濃度であり、即ち血小板が凝集を開始する血小板凝集惹起剤の最低濃度値である。ＰＡＴＩ値が、ガイド線５１〜５６の何れの区間に存在するかによりＧ−Ｔを特定する。図１では、ＰＡＴＩ値が１．６７μＭであり、ガイド線５３，５４間にあり、ガイド線５３，５４間で指し示されるグレードタイプ表示領域５ｇに▲印が付されている。なお、グレードタイプ表示領域５ｇに記された▲印では何れのＧ−Ｔを指し示しているかは判らないが、グレードタイプ印字領域６からＧ−Ｔを知ることができる。
【００１８】
グレードタイプ印字領域６には、「(III)，（II），（I），（０），（-I），(-II）」が印字され、その直下に上記マークと同じ▲印を付してＧ−Ｔを示している。図１では、「(III)，（II），（I），（０），（-I），(-II）」の（I）直下に▲印が付されており、Ｇ−Ｔが（I）であることを示している。
【００１９】
凝集率印字領域７には、各チャンネル（０ｃｈ，１ｃｈ〜４ｃｈ）毎に、凝集率の数値が印字され、１０％毎に□印を一個付して棒グラフで示している。図１では、０ｃｈが−３．１％、１ｃｈが０．７％、２ｃｈが３．０％、３ｃｈが７個の□印と７３．５％が印字され、４ｃｈが１０個の□印と１００．０％が印字されている。
【００２０】
なお、本実施形態では、図１に示したように帯状シート１がであるが、四角形であってもよいし、また、各印字又は作図領域を二列に配列したとしてもよい。
【産業上の利用可能性】
【００２１】
本考案は、全血血小板凝集能測定装置による血液の血小板凝集能の測定結果を表示する全血血小板凝集検査表であり、凝集能検査結果を検査表を参照して医療現場で診断に利用したり、患者に対しての説明にも利用できるし、他の血小板凝集能の測定の結果表として利用することもできる。
【図面の簡単な説明】
【００２２】
【図１】本考案の全血血小板凝集能検査表の一実施形態を示す平面図である。
【図２】全血血小板凝集能測定装置の概要を示す概略図である。
【図３】従来の全血血小板凝集能測定方法を示す説明図である。
【符号の説明】
【００２３】
１  全血血小板凝集能検査表を印字したシート
２  表題
３  書誌的事項印字領域
４  検査結果印字領域
５  凝集曲線作図領域
５１〜５６  ガイド線
５ａ  折れ線グラフで示す作図する領域
５ｂ  グレードタイプ表示領域
５ｃ  凝集率５０％ライン
６  グレードタイプ印字領域
７  凝集能率印字領域
【図１】
0003105355.tif 000003
【図２】
0003105355.tif 000004
【図３】
0003105355.tif 000005
【手続補正書】
【提出日】平成16年5月18日(2004.5.18)
【手続補正１】
【補正対象書類名】実用新案登録請求の範囲
【補正対象項目名】全文
【補正方法】変更
【補正の内容】
【実用新案登録請求の範囲】
【請求項１】
複数の全血に濃度の異なる血小板凝集惹起剤を加えて所定温度で一定時間凝集反応させた後、フィルタを装着した吸引ノズルにより各凝集反応させた全血を吸引してその吸引圧から全血血小板凝集能を検査し、その検査結果をシートに印字する全血血小板凝集能検査表であって、
前記シートの上部には血小板凝集能検査の文字が印字され、その下側には書誌的事項である測定日、測定モード、検体番号、反応時間等の印字を行う空白領域を有し、かつその下側に表形式で凝集試薬と試薬濃度の項目が印字されこれら項目に対応してそれぞれの右側に薬品名とその単位及び並列して複数の濃度を印字する空白領域を有するとともに、その下側には同じく表形式でＰＡＴＩとグレード項目が印字され、その右側には検査結果を示すＰＡＴＩ値とグレードの印字を行う空白領域を有し、さらにその下側には該検査結果に至る過程の凝集曲線を折れ線グラフにて示す作図領域が設けられ、さらにその下側に表形式で凝集能のグレードタイプが水平に複数印字され、それらの下側に対応して検査結果が何れのグレードタイプであるかをマークで印字する空白領域を備え、かつその下側に前記血小板凝集惹起剤の各添加試薬濃度毎のチャンネルが印字され、これらチャンネルに対応して吸引圧の割合に依存する凝集能率を印字する空白領域が設けられていることを特徴とする全血血小板凝集能検査表。
【請求項２】
前記作図領域は、前記凝集曲線を折れ線グラフで印字した際に、該凝集曲線から求められるＰＡＴＩ値が、何れのグレードタイプに属するかを示すガイド線が斜めに複数本並列して印刷されていることを特徴とする請求項１記載の全血血小板凝集能検査表。
【請求項３】
前記凝集能のグレードタイプは、前記ＰＡＴＩ値が何れのガイド線間であるかを指し示す(III)，（II），（I），（０），（−I），(−II)の表示からなることを特徴とする請求項１記載の全血血小板凝集能検査表。
【手続補正２】
【補正対象書類名】明細書
【補正対象項目名】全文
【補正方法】変更
【補正の内容】
【考案の詳細な説明】
【技術分野】
【０００１】
本考案は、全血血小板凝集能の判定結果を記録表示する全血血小板凝集能検査表に関するものである。
【背景技術】
【０００２】
一般に、血小板凝集能の測定には光透過法がある。図３は光透過法による血小板凝集能のグレードタイプを判定する方法を示しており、血液から分離された多血小板血漿（以下、ＰＲＰと称する）に血小板凝集惹起剤を添加し５分間凝集反応をさせて光の透過度を測定する。ＰＲＰの凝集反応は、血小板凝集惹起剤の濃度（０．５，１．０，２．０，４．０μＭ）に応じて、図３（ａ）に示するような光の透過率曲線Ａとなり、血小板凝集惹起剤を４．０μＭとして５分凝集反応させた後の凝集率を１００％として各濃度の透過率をプロットし、図３（ｂ）に示す折れ線グラフによる凝集曲線Ｂを作成する。血小板凝集能を示すＧ−Ｔ（グレードタイプ：Grade Type）は、図３（ｂ）に放射状の点線で区分けしたＧ−Ｔ(III)，（II），（I），（０），（-I），(-II)で示され、この凝集曲線が、凝集率５０％の値と交差する値を血小板凝集閾値（ＰＡＴＩ値：Platelet aggregatory threshold index）として、ＰＡＴＩ値がこれらのＧ−Ｔの何れに含まれるかにより血小板凝集能を判定している。
【考案の開示】
【考案が解決しようとする課題】
【０００３】
上述のように、光透過法による血小板凝集能の特定は、図３（ｂ）に示したような方法により特定し、その血小板凝集能の結果は、検査表に、グレードタイプが(III)，（II），（I），（０），（-I），(-II)の何れかであるかを示すのみであって、測定過程を示し、測定結果の説明が可能な検査表ではなく、より信頼性が得られるような測定結果を示す必要性があった。また、近年では、より簡便な血小板凝集能の検査として、全血法による血小板凝集能の測定方法が主流となりつつあり、同様に血小板凝集能が検査表から把握し易く、ＰＡＴＩ値等が表示されることにより、血小板凝集能の程度を示すことが可能なことが望まれている。
【０００４】
本考案は、上述のような課題に鑑みなされたものであって、全血血小板凝集能検査における検査概要とその測定結果としてＰＡＴＩ値を示し、グレードタイプの判定表示が分かり易く、簡便な表示形態である全血血小板凝集能検査表を提供することを目的とするものである。
【課題を解決するための手段】
【０００５】
本考案は、上記課題を達成したものであって、請求項１の考案は、複数の全血に濃度の異なる血小板凝集惹起剤を加えて所定温度で一定時間凝集反応させた後、フィルタを装着した吸引ノズルにより各凝集反応させた全血を吸引してその吸引圧から全血血小板凝集能を検査し、その検査結果をシートに印字する全血血小板凝集能検査表であって、
前記シートの上部には血小板凝集能検査の文字が印字され、その下側には書誌的事項である測定日、測定モード、検体番号、反応時間等の印字を行う空白領域を有し、かつその下側に表形式で凝集試薬と試薬濃度の項目が印字されこれら項目に対応してそれぞれの右側に薬品名とその単位及び並列して複数の濃度を印字する空白領域を有するとともに、その下側には同じく表形式でＰＡＴＩとグレード項目が印字され、その右側には検査結果を示すＰＡＴＩ値とグレードの印字を行う空白領域を有し、さらにその下側には該検査結果に至る過程の凝集曲線を折れ線グラフにて示す作図領域が設けられ、さらにその下側に表形式で凝集能のグレードタイプが水平に複数印字され、それら下側に対応して検査結果が何れのグレードタイプであるかをマークで印字する空白領域を備え、かつその下側に前記血小板凝集惹起剤の各添加試薬濃度毎のチャンネルが印字され、これらチャンネルに対応して吸引圧の割合に依存する凝集能率を印字する空白領域が設けられていることを特徴としている。
【０００６】
また、請求項２の考案は、請求項１記載の全血血小板凝集検査表において、前記作図領域は、前記凝集曲線を折れ線グラフで印字した際に、該凝集曲線から求められるＰＡＴＩ値が、何れのグレードタイプに属するかを示すガイド線が斜めに複数本並列して印刷されていることを特徴としている。
【０００７】
また、請求項３の考案は、請求項１記載の全血血小板凝集検査表において、前記凝集能のグレードタイプは、前記ＰＡＴＩ値が何れのガイド線間であるかを指し示す(III)，（II），（I），（０），（−I），(−II)の表示からなることを特徴としている。
【考案の効果】
【０００８】
請求項１の考案では、複数の全血に濃度の異なる血小板凝集惹起剤を加えて所定温度で一定時間凝集反応させた後、フィルタを装着した吸引ノズルにより各凝集反応させた全血を吸引してその吸引圧から全血血小板凝集能を検査し、その検査結果をシートに印字する全血血小板凝集能検査表であって、前記シートには、血小板凝集能検査における書誌的事項を示す書誌的事項印字領域とＰＡＴＩ値による検査結果を示す検査結果印字領域とが設けられているとともに、該検査結果に至る過程を示す凝集曲線を示す凝集曲線作図領域と、凝集能が何れのグレードタイプであるかをマークで示すグレードタイプ印字領域と、前記血小板凝集惹起剤の各添加試薬濃度毎の吸引圧の割合に依存する凝集率を印字する凝集能率印字領域とを有する全血血小板凝集能検査表であるので、全血血小板凝集能の検査
概要、測定過程、そして測定結果がシートに全てが印字され、検査概要と結果が極めて簡便にまとめられており利用し易く、患者への説明にも効果的な表示とした全血血小板凝集能検査表である。
【０００９】
また、前記書誌的事項が、全血血小板凝集能の測定日、測定時間、測定モード、凝集反応時間、検体番号、試薬である血小板凝集惹起剤の薬品名、試薬濃度であることから、検査表から検査概要を知ることができ、さらに検体番号、試薬の薬品名が記載されており、患者と検査結果との確認が一目瞭然であり、試薬に依存する凝集特性を考慮し、患者への説明にも便利なものである利点がある。
【００１０】
また、請求項２の考案では、前記作図領域は、前記凝集曲線を折れ線グラフで印字し、該凝集曲線から求められる閾値が、何れのグレードタイプに属するかを示すガイド線を印字したことから、ガイド線で示されたグレードタイプの範囲に凝集曲線が図示され、凝集曲線が急峻に立ち上がっているか、或いは緩慢であるのかが明らかになり、しかも、ＰＡＴＩ値が何れの範囲内に含まれているかが直ちに分かるように印字されるので、検査表として極めて分かり易いものとなる利点がある。
【００１１】
また、請求項３の考案では、前記ＰＡＴＩ値が何れのガイド線間であるかを指し示すマークを印字する領域を設け、該マークが(III)，（II），（I），（０），（-I），(-II)の何れのグレードタイプであるかを同一マークで指し示す領域を有するので、グレードタイプが、マーク、例えば三角形の印でグレードタイプの(III)，（II），（I），（０），（-I），(-II）の何れであるかを示すことができるし、さらに、これらのグレードタイプ以外のグレードタイプ（-III）の場合は、全体のグレードタイプをシフトさせて印字することにより表示することができるし、これらのグレードタイプを三角形の印のマークで指し示すことができるの
で、検査表として簡便で極めて分かり易く、検査表に基づいて検査結果の説明が容易なものとなる利点がある。さらに、凝集曲線が５０％ラインと交差する点（ＰＡＴＩ値）が、例えばガイド線間の両側の何れかのグレードタイプに近接しているか否かが検査表から一目瞭然であり、血小板凝集能の状態を細かく判断できる利点がある。
【考案を実施するための最良の形態】
【００１２】
以下、本考案に係る全血血小板凝集能検査表の一実施形態について図面を参照して説明する。図１は本実施形態の全血血小板凝集能検査表（２，３，４，５，６，７）を示し、例えば帯状シート１に全血血小板凝集能検査表が印字されている。この検査表には、「血小板凝集能検査」と表題２が印字され、書誌的事項印字領域３、検査結果印字領域４、凝集曲線作図領域５、グレードタイプ印字領域６、吸引圧測定値に基づく凝集率の数値を印字する凝集率印字領域７が設けられている。
【００１３】
全血血小板凝集能検査表は、帯状シート１を印字されて全血血小板凝集能検査装置のプリンタから出力される。先ず、全血血小板凝集能検査装置の概要を説明する。全血を四本の４キュベット８に入れ、それぞれに血小板凝集惹起剤を加えて濃度が（例えば、０．５，１．０，２．０，４．０μＭ）となるようにし、一定温度（３７℃）にて加温し凝集反応を５分間行った後、吸引口１０に装着した吸引用ノズル９をキュベット８内に挿入して吸引し、吸引用ノズル９に装着されたフィルタを通過する際の吸引圧を吸引圧センサ１１で測定し、吸引圧を制御装置１２に入力する。制御装置１２では、血小板凝集惹起剤の濃度が異なる４本の吸引圧値から凝集曲線を作成し、凝集率が５０％であるＰＡＴＩ値を求め、ＰＡＴＩ値が何れのＧ−Ｔ〔(III)，（II），（I），（０），（-I），(-II）〕に属するかを判定する。これらの測定条件と測定結果を全血血小板凝集能検査表に印字する。
なお、血小板凝集惹起剤を加えた濃度が、１．０，２．０，４．０，８．０（μＭ）の場合もあり、Ｇ−Ｔは〔（II），（I），（０），（-I），(-II），（−III）〕と印字されて、ＰＡＴＩ値が何れに属するかが示される。
【００１４】
以下、全血血小板凝集能検査表の各項目について詳細を説明する。書誌的事項印字領域３は、全血血小板凝集能の測定日、測定時間、測定モード、凝集反応時間、検体番号、試薬である血小板凝集惹起剤の薬品名，単位、及び試薬濃度を示す領域である。図１では、全血血小板凝集能の測定日（ＤＡＴＥ：０４／０１／１９）、測定時間（ＴＩＭＥ：１７：２６）、測定モード（ＡＮＡＬＹ  １）、凝集反応時間（０５：００）、検体番号（００４）、試薬である血小板凝集惹起剤の薬品名，単位（ＡＤＰ［μＭ］）、試薬濃度（０．５，１．０，２．０，４．０）と印字されている。
【００１５】
検査結果印字領域４は、全血血小板凝集能検査における結果を印字する領域であり、ＰＡＴＩ値と、全血血小板凝集能のグレードタイプを「(III)，（II），（I），（０），（-I），(-II）…」で印字する領域である。また、血小板凝集惹起剤を加えた濃度が、１．０，２．０，４．０，８．０（μＭ）の場合、Ｇ−Ｔは〔（II），（I），（０），（-I），(-II），（−III）〕と印字される。
【００１６】
凝集曲線作図領域５は、凝集曲線αを折れ線グラフで示す作図する領域５ａと、凝集能が何れのグレードタイプであるかを▲印でマークするグレードタイプ表示領域５ｂが設けられており、ＰＡＴＩ値の位置を示している。領域５ａは、折れ線グラフの横軸が血小板凝集惹起剤の濃度であって、各濃度０．５，１．０，２．０，４．０（μＭ）を、１〜４チャンネル（ｃｈ）で示し、縦軸が凝集率（０〜１００％）を示している。凝集曲線作図領域５は、グレードタイプを区分けして示すための斜線によるガイド線５１〜５６と凝集率５０％ライン５ｃが示され、ガイド線５１，５２と、５２，５３…の各区間が各Ｇ−Ｔの範囲を示している。ＰＡＴＩ値は、凝集曲線αが凝集率５０％ライン５ｃを横切って交差する血小板凝集惹起剤濃度であり、即ち血小板が凝集を開始する血小板凝集惹起剤の最低濃度値である。ＰＡＴＩ値が、ガイド線５１〜５６の何れの区間に存在するかによりＧ−Ｔを特定する。図１では、ＰＡＴＩ値が１．６７μＭであり、ガイド線５３，５４間にあり、ガイド線５３，５４間で指し示されるグレードタイプ表示領域５ｇに▲印が付されている。なお、グレードタイプ表示領域５ｇに記された▲印では何れのＧ−Ｔを指し示しているかは判らないが、グレードタイプ印字領域６からＧ−Ｔを知ることができる。
【００１７】
グレードタイプ印字領域６には、「(III)，（II），（I），（０），（-I），(-II）」が印字され、その直下に上記マークと同じ▲印を付してＧ−Ｔを示している。図１では、「(III)，（II），（I），（０），（-I），(-II）」の（I）直下に▲印が付されており、Ｇ−Ｔが（I）であることを示している。
【００１８】
凝集率印字領域７には、各チャンネル（０ｃｈ，１ｃｈ〜４ｃｈ）毎に、凝集率の数値が印字され、１０％毎に□印を一個付して棒グラフで示している。図１では、０ｃｈが−３．１％、１ｃｈが０．７％、２ｃｈが３．０％、３ｃｈが７個の□印と７３．５％が印字され、４ｃｈが１０個の□印と１００．０％が印字されている。
【００１９】
なお、本実施形態では、図１に示したように帯状シート１がであるが、四角形であってもよいし、また、各印字又は作図領域を二列に配列したとしてもよい。
【産業上の利用可能性】
【００２０】
本考案は、全血血小板凝集能測定装置による血液の血小板凝集能の測定結果を表示する全血血小板凝集検査表であり、凝集能検査結果を検査表を参照して医療現場で診断に利用したり、患者に対しての説明にも利用できるし、他の血小板凝集能の測定の結果表として利用することもできる。
【図面の簡単な説明】
【００２１】
【図１】本考案の全血血小板凝集能検査表の一実施形態を示す平面図である。
【図２】全血血小板凝集能測定装置の概要を示す概略図である。
【図３】従来の全血血小板凝集能測定方法を示す説明図である。
【符号の説明】
【００２２】
１  全血血小板凝集能検査表を印字したシート
２  表題
３  書誌的事項印字領域
４  検査結果印字領域
５  凝集曲線作図領域
５１〜５６  ガイド線
５ａ  折れ線グラフで示す作図する領域
５ｂ  グレードタイプ表示領域
５ｃ  凝集率５０％ライン
６  グレードタイプ印字領域
７  凝集能率印字領域
【手続補正書】
【提出日】平成16年7月23日(2004.7.23)
【手続補正１】
【補正対象書類名】実用新案登録請求の範囲
【補正対象項目名】全文
【補正方法】変更
【補正の内容】
【実用新案登録請求の範囲】
【請求項１】
複数の全血に濃度の異なる血小板凝集惹起剤を加えて所定温度で一定時間凝集反応させた後、フィルタを装着した吸引ノズルにより各凝集反応させた全血を吸引してその吸引圧から全血血小板凝集能を検査し、その検査結果をシートに印字した全血血小板凝集能検査シートであって、
前記シートが帯状シートであり、その上部には血小板凝集能検査血の文字が印字され、その下側には書誌的事項である測定日、測定モード、検体番号、反応時間等の印字した領域を有し、かつその下側に表形式で凝集試薬と試薬濃度の項目が印字されこれら項目に対応してそれぞれの右側に薬品名とその単位及び並列して複数の濃度を印字した領域を有するとともに、その下側には同じく表形式でＰＡＴＩとグレード項目が印字され、その右側には検査結果を示すＰＡＴＩ値とグレードを印字した領域を有し、さらにその下側には該検査結果に至る過程の凝集曲線を折れ線グラフにて示した作図領域が設けられ、かつ該折れ線グラフが５０％ラインを通過する位置に対応してマークが印字され、さらにその下側に表形式で凝集能のグレードタイプが水平に複数印字され、それらの下側に対応して検査結果が何れのグレードタイプであるかを上記マークと同一のマークで印字して指し示した領域を備え、かつその下側に前記血小板凝集惹起剤の各添加試薬濃度毎のチャンネルが印字され、これらチャンネルに対応して吸引圧の割合に依存する凝集能率を印字した領域が設けられていることを特徴とする全血血小板凝集能検査シート。
【請求項２】
前記作図領域は、前記凝集曲線を折れ線グラフで印字した際に、該凝集曲線から求められるＰＡＴＩ値が、何れのグレードタイプに属するかを示すガイド線が斜めに複数本並列して印刷されていることを特徴とする請求項１記載の全血血小板凝集能検査シート。
【請求項３】
前記凝集能のグレードタイプは、前記ＰＡＴＩ値が何れのガイド線間であるかを指し示す(III)，（II），（I），（０），（−I），(−II)の表示からなることを特徴とする請求項１記載の全血血小板凝集能検査シート。
【手続補正２】
【補正対象書類名】明細書
【補正対象項目名】全文
【補正方法】変更
【補正の内容】
【考案の詳細な説明】
【技術分野】
【０００１】
本考案は、全血血小板凝集能の判定結果を記録表示する全血血小板凝集能検査シートに関するものである。
【背景技術】
【０００２】
一般に、血小板凝集能の測定には光透過法がある。図３は光透過法による血小板凝集能のグレードタイプを判定する方法を示しており、血液から分離された多血小板血漿（以下、ＰＲＰと称する）に血小板凝集惹起剤を添加し５分間凝集反応をさせて光の透過度を測定する。ＰＲＰの凝集反応は、血小板凝集惹起剤の濃度（０．５，１．０，２．０，４．０μＭ）に応じて、図３（ａ）に示するような光の透過率曲線Ａとなり、血小板凝集惹起剤を４．０μＭとして５分凝集反応させた後の凝集率を１００％として各濃度の透過率をプロットし、図３（ｂ）に示す折れ線グラフによる凝集曲線Ｂを作成する。血小板凝集能を示すＧ−Ｔ（グレードタイプ：Grade Type）は、図３（ｂ）に放射状の点線で区分けしたＧ−Ｔ(III)，（II），（I），（０），（-I），(-II)で示され、この凝集曲線が、凝集率５０％の値と交差する値を血小板凝集閾値（ＰＡＴＩ値：Platelet aggregatory threshold index）として、ＰＡＴＩ値がこれらのＧ−Ｔの何れに含まれるかにより血小板凝集能を判定している。
【考案の開示】
【考案が解決しようとする課題】
【０００３】
上述のように、光透過法による血小板凝集能の特定は、図３（ｂ）に示したような方法により特定し、その血小板凝集能の結果は、検査表に、グレードタイプが(III)，（II），（I），（０），（-I），(-II)の何れかであるかを示すのみであって、測定過程を示し、測定結果の説明が可能な検査表ではなく、より信頼性が得られるような測定結果を示す必要性があった。また、近年では、より簡便な血小板凝集能の検査として、全血法による血小板凝集能の測定方法が主流となりつつあり、同様に血小板凝集能が検査表から把握し易く、ＰＡＴＩ値等が表示されることにより、血小板凝集能の程度を示すことが可能なことが望まれている。
【０００４】
本考案は、上述のような課題に鑑みなされたものであって、全血血小板凝集能検査における検査概要とその測定結果としてＰＡＴＩ値を示し、グレードタイプの判定表示が分かり易く、簡便な表示形態である全血血小板凝集能検査シートを提供することを目的とするものである。
【課題を解決するための手段】
【０００５】
本考案は、上記課題を達成したものであって、請求項１の考案は、複数の全血に濃度の異なる血小板凝集惹起剤を加えて所定温度で一定時間凝集反応させた後、フィルタを装着した吸引ノズルにより各凝集反応させた全血を吸引してその吸引圧から全血血小板凝集能を検査し、その検査結果をシートに印字した全血血小板凝集能検査シートであって、
前記シートが帯状シートであり、その上部には血小板凝集能検査血の文字が印字され、その下側には書誌的事項である測定日、測定モード、検体番号、反応時間等の印字した領域を有し、かつその下側に表形式で凝集試薬と試薬濃度の項目が印字されこれら項目に対応してそれぞれの右側に薬品名とその単位及び並列して複数の濃度を印字した領域を有するとともに、その下側には同じく表形式でＰＡＴＩとグレード項目が印字され、その右側には検査結果を示すＰＡＴＩ値とグレードを印字した領域を有し、さらにその下側には該検査結果に至る過程の凝集曲線を折れ線グラフにて示した作図領域が設けられ、かつ該折れ線グラフが５０％ラインを通過する位置に対応してマークが印字され、さらにその下側に表形式で凝集能のグレードタイプが水平に複数印字され、それらの下側に対応して検査結果が何れのグレードタイプであるかを上記マークと同一のマークで印字してグレードタイプを指し示した領域を備え、かつその下側に前記血小板凝集惹起剤の各添加試薬濃度毎のチャンネルが印字され、これらチャンネルに対応して吸引圧の割合に依存する凝集能率を印字した領域が設けられていることを特徴とする全血血小板凝集能検査シートである。
【０００６】
また、請求項２の考案は、請求項１記載の全血血小板凝集検査シートにおいて、前記作図領域は、前記凝集曲線を折れ線グラフで印字した際に、該凝集曲線から求められるＰＡＴＩ値が、何れのグレードタイプに属するかを示すガイド線が斜めに複数本並列して印刷されていることを特徴としている。
【０００７】
また、請求項３の考案は、請求項１記載の全血血小板凝集検査シートにおいて、前記凝集能のグレードタイプは、前記ＰＡＴＩ値が何れのガイド線間であるかを指し示す(III)，（II），（I），（０），（−I），(−II)の表示からなることを特徴としている。
【考案の効果】
【０００８】
請求項１の考案では、複数の全血に濃度の異なる血小板凝集惹起剤を加えて所定温度で一定時間凝集反応させた後、フィルタを装着した吸引ノズルにより各凝集反応させた全血を吸引してその吸引圧から全血血小板凝集能を検査し、その検査結果をシートに印字する全血血小板凝集能検査シートであって、前記シートには、血小板凝集能検査における書誌的事項を示す書誌的事項印字領域とＰＡＴＩ値による検査結果を示す検査結果印字領域とが設けられているとともに、該検査結果に至る過程を示す凝集曲線を示す凝集曲線作図領域と、凝集能が何れのグレードタイプであるかをマークで示すグレードタイプ印字領域と、前記血小板凝集惹起剤の各添加試薬濃度毎の吸引圧の割合に依存する凝集率を印字する凝集能率印字領域とを有する全血血小板凝集能検査シートであるので、全血血小板凝集能の検査概要、測定過程、そして測定結果がシートに全てが印字され、検査概要と結果が極めて簡便にまとめられており利用し易く、患者への説明にも効果的な表示とした全血血小板凝集能検査シートである。
【０００９】
また、前記書誌的事項が、全血血小板凝集能の測定日、測定時間、測定モード、凝集反応時間、検体番号、試薬である血小板凝集惹起剤の薬品名、試薬濃度であることから、検査シートから検査概要を知ることができ、さらに検体番号、試薬の薬品名が記載されており、患者と検査結果との確認が一目瞭然であり、試薬に依存する凝集特性を考慮し、患者への説明にも便利なものである利点がある。
【００１０】
また、請求項２の考案では、前記作図領域は、前記凝集曲線を折れ線グラフで印字し、該凝集曲線から求められる閾値が、何れのグレードタイプに属するかを示すガイド線を印字したことから、ガイド線で示されたグレードタイプの範囲に凝集曲線が図示され、凝集曲線が急峻に立ち上がっているか、或いは緩慢であるのかが明らかになり、しかも、ＰＡＴＩ値が何れの範囲内に含まれているかが直ちに分かるように印字されるので、検査シートとして極めて分かり易いものとなる利点がある。
【００１１】
また、請求項３の考案では、前記ＰＡＴＩ値が何れのガイド線間であるかを指し示すマークを印字する領域を設け、該マークが(III)，（II），（I），（０），（-I），(-II)の何れのグレードタイプであるかを同一マークで指し示す領域を有するので、グレードタイプが、マーク、例えば三角形の印でグレードタイプの(III)，（II），（I），（０），（-I），(-II）の何れであるかを示すことができるし、さらに、これらのグレードタイプ以外のグレードタイプ（-III）の場合は、全体のグレードタイプをシフトさせて印字することにより表示することができるし、これらのグレードタイプを三角形の印のマークで指し示すことができるので、検査シートとして簡便で極めて分かり易く、検査シートに基づいて検査結果の説明が容易なものとなる利点がある。さらに、凝集曲線が５０％ラインと交差する点（ＰＡＴＩ値）が、例えばガイド線間の両側の何れかのグレードタイプに近接しているか否かが検査シートから一目瞭然であり、血小板凝集能の状態を細かく判断できる利点がある。
【考案を実施するための最良の形態】
【００１２】
以下、本考案に係る全血血小板凝集能検査シートの一実施形態について図面を参照して説明する。図１は本実施形態の全血血小板凝集能検査シートを示し、例えば帯状シート１に全血血小板凝集能検査表が印字されている。この検査シートには、「血小板凝集能検査」と表題２が印字され、書誌的事項印字領域３、検査結果印字領域４、凝集曲線作図領域５、グレードタイプ印字領域６、吸引圧測定値に基づく凝集率の数値を印字する凝集率印字領域７が設けられている。
【００１３】
全血血小板凝集能検査シートは、帯状シート１を印字されて全血血小板凝集能検査装置のプリンタから出力される。先ず、全血血小板凝集能検査装置の概要を説明する。全血を四本の４キュベット８に入れ、それぞれに血小板凝集惹起剤を加えて濃度が（例えば、０．５，１．０，２．０，４．０μＭ）となるようにし、一定温度（３７℃）にて加温し凝集反応を５分間行った後、吸引口１０に装着した吸引用ノズル９をキュベット８内に挿入して吸引し、吸引用ノズル９に装着されたフィルタを通過する際の吸引圧を吸引圧センサ１１で測定し、吸引圧を制御装置１２に入力する。制御装置１２では、血小板凝集惹起剤の濃度が異なる４本の吸引圧値から凝集曲線を作成し、凝集率が５０％であるＰＡＴＩ値を求め、ＰＡＴＩ値が何れのＧ−Ｔ〔(III)，（II），（I），（０），（-I），(-II）〕に属するかを判定する。これらの測定条件と測定結果を全血血小板凝集能検査シートに印字する。
なお、血小板凝集惹起剤を加えた濃度が、１．０，２．０，４．０，８．０（μＭ）の場合もあり、Ｇ−Ｔは〔（II），（I），（０），（-I），(-II），（−III）〕と印字されて、ＰＡＴＩ値が何れに属するかが示される。
【００１４】
以下、全血血小板凝集能検査シートの各項目について詳細を説明する。書誌的事項印字領域３は、全血血小板凝集能の測定日、測定時間、測定モード、凝集反応時間、検体番号、試薬である血小板凝集惹起剤の薬品名，単位、及び試薬濃度を示す領域である。図１では、全血血小板凝集能の測定日（ＤＡＴＥ：０４／０１／１９）、測定時間（ＴＩＭＥ：１７：２６）、測定モード（ＡＮＡＬＹ  １）、凝集反応時間（０５：００）、検体番号（００４）、試薬である血小板凝集惹起剤の薬品名，単位（ＡＤＰ［μＭ］）、試薬濃度（０．５，１．０，２．０，４．０）と印字されている。
【００１５】
検査結果印字領域４は、全血血小板凝集能検査における結果を印字する領域であり、ＰＡＴＩ値と、全血血小板凝集能のグレードタイプを「(III)，（II），（I），（０），（-I），(-II）…」で印字する領域である。また、血小板凝集惹起剤を加えた濃度が、１．０，２．０，４．０，８．０（μＭ）の場合、Ｇ−Ｔは〔（II），（I），（０），（-I），(-II），（−III）〕と印字される。
【００１６】
凝集曲線作図領域５は、凝集曲線αを折れ線グラフで示す作図する領域５ａと、凝集能が何れのグレードタイプであるかを▲印でマークするグレードタイプ表示領域５ｂが設けられており、ＰＡＴＩ値の位置を示している。領域５ａは、折れ線グラフの横軸が血小板凝集惹起剤の濃度であって、各濃度０．５，１．０，２．０，４．０（μＭ）を、１〜４チャンネル（ｃｈ）で示し、縦軸が凝集率（０〜１００％）を示している。凝集曲線作図領域５は、グレードタイプを区分けして示すための斜線によるガイド線５１〜５６と凝集率５０％ライン５ｃが示され、ガイド線５１，５２と、５２，５３…の各区間が各Ｇ−Ｔの範囲を示している。ＰＡＴＩ値は、凝集曲線αが凝集率５０％ライン５ｃを横切って交差する血小板凝集惹起剤濃度であり、即ち血小板が凝集を開始する血小板凝集惹起剤の最低濃度値である。ＰＡＴＩ値が、ガイド線５１〜５６の何れの区間に存在するかによりＧ−Ｔを特定する。図１では、ＰＡＴＩ値が１．６７μＭであり、ガイド線５３，５４間にあり、ガイド線５３，５４間で指し示されるグレードタイプ表示領域５ｇに▲印が付されている。なお、グレードタイプ表示領域５ｇに記された▲印では何れのＧ−Ｔを指し示しているかは判らないが、グレードタイプ印字領域６からＧ−Ｔを知ることができる。
【００１７】
グレードタイプ印字領域６には、「(III)，（II），（I），（０），（-I），(-II）」が印字され、その直下に上記マークと同じ▲印を付してＧ−Ｔを示している。図１では、「(III)，（II），（I），（０），（-I），(-II）」の（I）直下に▲印が付されており、Ｇ−Ｔが（I）であることを示している。
【００１８】
凝集率印字領域７には、各チャンネル（０ｃｈ，１ｃｈ〜４ｃｈ）毎に、凝集率の数値が印字され、１０％毎に□印を一個付して棒グラフで示している。図１では、０ｃｈが−３．１％、１ｃｈが０．７％、２ｃｈが３．０％、３ｃｈが７個の□印と７３．５％が印字され、４ｃｈが１０個の□印と１００．０％が印字されている。
【００１９】
なお、本実施形態では、図１に示したように帯状シート１がであるが、四角形であってもよいし、また、各印字又は作図領域を二列に配列したとしてもよい。
【産業上の利用可能性】
【００２０】
本考案は、全血血小板凝集能測定装置による血液の血小板凝集能の測定結果を表示する全血血小板凝集検査シートであり、凝集能検査結果を検査シートを参照して医療現場で診断に利用したり、患者に対しての説明にも利用できるし、他の血小板凝集能の測定の結果表として利用することもできる。
【図面の簡単な説明】
【００２１】
【図１】本考案の全血血小板凝集能検査シートの一実施形態を示す平面図である。
【図２】全血血小板凝集能測定装置の概要を示す概略図である。
【図３】従来の全血血小板凝集能測定方法を示す説明図である。
【符号の説明】
【００２２】
１  全血血小板凝集能検査表を印字したシート（全血血小板凝集能検査シート）
２  表題
３  書誌的事項印字領域
４  検査結果印字領域
５  凝集曲線作図領域
５１〜５６  ガイド線
５ａ  折れ線グラフで示す作図する領域
５ｂ  グレードタイプ表示領域
５ｃ  凝集率５０％ライン
６  グレードタイプ印字領域
７  凝集能率印字領域